(57)【要約】【課題】ラップ量を大きく設定でき、ディスクを確実にクランプ解除できるとともに、ディスクと他の機構部とのクリアランスを確保し、設計自由度、動作余裕度の向上した光ディスク装置を提供する。【解決手段】光ディスク装置は、光ディスク１１を保持して回転するディスクモータ１２と、ディスクモータを昇降可能に支持したモータ支持機構と、ディスクモータを上昇位置、下降位置、上昇位置と下降位置との間のディスク駆動位置の間で昇降させるモータ昇降機構と、光ディスクに当接して光ディスクの移動を規制するクランプ解除位置と、光ディスクから離間する退避位置との間を昇降可能に設けられたクランプ解除部材２０と、ディスクモータの昇降に同期してクランプ解除部材を昇降させる解除部材昇降機構と、を備えている。【選択図】      図６
2009245531.tif 000002
【特許請求の範囲】
【請求項１】
光ディスクが載置されるターンテーブルおよびターンテーブルに設けられ前記光ディスクをクランプするクランプ部を有し、前記光ディスクを保持して回転するディスクモータと、
前記ディスクモータを昇降可能に支持したモータ支持機構と、
所定位置に装填された光ディスクに対して、前記ディスクモータを、前記クランプ部が前記光ディスクをクランプする上昇位置と、前記光ディスクから離間する下降位置と、上記上昇位置と下降位置との間のディスク駆動位置との間で昇降させるモータ昇降機構と、
前記光ディスクに当接して光ディスクの移動を規制するクランプ解除位置と、前記光ディスクから離間する退避位置との間を昇降可能に設けられたクランプ解除部材と、
前記ディスクモータの昇降に同期して前記クランプ解除部材を昇降させる解除部材昇降機構と、
を備えた光ディスク装置。
【請求項２】
前記モータ昇降機構および解除部材昇降機構は、前記ディスクのクランプ解除時、前記解除部材を前記クランプ解除位置に上昇させ、この解除部材をクランプ解除位置に保持した状態で、前記ディスクモータを下降位置に下降させる請求項１に記載の光ディスク装置。
【請求項３】
前記モータ昇降機構は、前記ディスクモータの周囲に、前記ディスクモータの回転軸の周りで回動可能に設けられた円弧状のカム部材と、このカム部材に形成された昇降カムと、前記ディスクモータから突出し前記昇降カムに係合した係合部と、前記カム部材を回動させるカム駆動機構と、を有し、
前記モータ支持機構は、前記ディスクモータを支持およびガイドする昇降ガイドと、前記ディスクモータの前記係合部が前記昇降カムに押し当たる方向に前記ディスクモータを付勢した付勢部材と、を有し、
前記解除部材昇降機構は、前記カム部材に形成された解除カムと、前記クランプ解除部材を前記解除カムと係合する方向に付勢した付勢部材と、を有している請求項１に記載の光ディスク装置。
【請求項４】
前記クランプ解除部材は、前記光ディスクに当接可能な当接部と、前記解除カムに係合したカム係合部と、を有し、前記ディスクモータの回転軸と平行な方向に沿って昇降可能に設けられている請求項３に記載の光ディスク装置。
【請求項５】
前記昇降カムおよび解除カムは、前記カム部材の回動方向に沿って位相がずれて形成されている請求項３に記載の光ディスク装置。
【請求項６】
前記カム駆動機構は、前記ディスクモータの回転軸と交差する方向に沿って往復移動可能に設けられたカムスライダと、前記カムスライダを移動させるローディングモータと、前記ディスクモータの回転軸と平行な軸の周りで回動可能に設けられているとともに、前記カムスライダに係合した第１係合部と前記カム部材に係合した第２係合部とを有し、前記カムスライダの移動に応じて回動し前記カム部材を回動させるクランプレバーと、を備えている請求項１に記載の光ディスク装置。
【発明の詳細な説明】
【技術分野】
【０００１】
この発明は、ディスク状の情報記録媒体、例えば円盤状の光ディスクに情報を記録し、または光ディスクから情報を再生する光ディスク装置に関する。
【背景技術】
【０００２】
近年、情報記録再生装置として、ＣＤ（Compact Disc）、ＤＶＤ(Digital Versatile Disk)等の光ディスクに対して情報を記録／再生する光ディスク装置が広く知られている。
【０００３】
光ディスク装置は、例えば、コンピュータに内蔵されるスリム型の光ディスク装置は、偏平な矩形箱状に形成された筐体と、光ディスクを支持および回転するモータおよびターンテーブルと、ターンテーブルに載置された光ディスクに対して情報を記録、再生する光ピックアップ等の駆動部、光ディスクを光ディスク装置内部の所定の位置に引き込み、また確実に排出するためのディスクローディング機構と、光ディスクを回転させるディスクモータ等を備えている。
【０００４】
ディスクローディング機構としては、光ディスクあるいは光ディスクが収容されているカートリッジが載置されるトレイを有し、トレイが装置内部から突出されることで、光ディスクが搭載可能となるトレイタイプと、光ディスクを装置内部に引き込むスロットインタイプとに大別される。
【０００５】
スロットインタイプのディスクローディング機構は、光ディスク装置の厚さを低減可能であり、自動車等に搭載されるオーディオ・ビデオシステムや携帯型パーソナルコンピュータ等に代表される組み込み式の光ディスク装置に、広く採用されている。
【０００６】
スロットインタイプのディスクローディング機構においては、光ディスクのローディング時、ターンテーブルおよびモータが所定位置から上昇して、そのクランプ部が光ディスクに嵌合することにより、光ディスクを所定位置に支持する。また、光ディスクをターンテーブルからリリースおよびイジェクトする場合、ターンテーブルおよびモータが光ディスクとともに下降し、所定位置に固定配置された板状のディスクカバーに光ディスクを係止し、この状態で、ターンテーブルおよびモータのみを更に下降させることにより、光ディスクがターンテーブルのクランプ部からリリースされる（例えば、特許文献１）。
【特許文献１】特開２００４−３９１９３号公報
【発明の開示】
【発明が解決しようとする課題】
【０００７】
しかしながら、上記光ディスク装置のように、光ディスクをリリースするためのディスクカバーが装置内の所定位置に固定配置されている場合、ディスクカバーを光ディスクのローディングおよびリリースに最適な位置に配設することが難しい。すなわち、光ディスク装置の薄型化に伴い、ターンテーブルおよびモータの昇降ストロークはあまり大きく取ることができず、ディスクカバーと他の機構部との間、および光ディスクと他の機構部との間のクリアランスを充分に確保することが困難となる。そのため、光ディスク装置に衝撃等が作用した際、ディスクカバーが他の機構部と干渉する可能性がある。
【０００８】
また、光ディスクがディスクカバーに当接してから、更に、ターンテーブルが下降移動する距離、すなわち、ラップ量を充分に確保することが難しい。光ディスクをターンテーブルのクランプ部から確実にクランプ解除するためには、このラップ量を充分に確保することが望まし。
【０００９】
この発明は以上の点に鑑みてなされたもので、その目的は、ラップ量を大きく設定でき、ディスクを確実にクランプ解除できるとともに、ディスクと他の機構部とのクリアランスを確保し、設計自由度、動作余裕度の向上した光ディスク装置を提供することにある。
【課題を解決するための手段】
【００１０】
この発明の態様に係る光ディスク装置は、光ディスクが載置されるターンテーブルおよびターンテーブルに設けられ前記光ディスクをクランプするクランプ部を有し、前記光ディスクを保持して回転するディスクモータと、前記ディスクモータを昇降可能に支持したモータ支持機構と、所定位置に装填された光ディスクに対して、前記ディスクモータを、前記クランプ部が前記光ディスクをクランプする上昇位置と、前記光ディスクから離間する下降位置と、上記上昇位置と下降位置との間のディスク駆動位置との間で昇降させるモータ昇降機構と、前記光ディスクに当接して光ディスクの移動を規制するクランプ解除位置と、前記光ディスクから離間する退避位置との間を昇降可能に設けられたクランプ解除部材と、前記ディスクモータの昇降に同期して前記クランプ解除部材を昇降させる解除部材昇降機構と、を備えている。
【発明の効果】
【００１１】
上記構成によれば、ラップ量を大きく設定でき、ディスクを確実にクランプ解除できるとともに、ディスクと他の機構部とのクリアランスを確保し、設計自由度、動作余裕度の向上した光ディスク装置を提供することができる。
【発明を実施するための最良の形態】
【００１２】
以下、図面を参照しながら、この発明の実施形態に係る光ディスク装置について詳細に説明する。
【００１３】
図１は、本実施形態に係る光ディスク装置をそのトップカバーを取外して内部構造を示している。図１に示すように、光ディスク装置は、例えば、携帯可能なパーソナルコンピュータ等に内蔵されるスロットインタイプの光ディスク装置として構成されている。この光ディスク装置は、ベースとなるボトムカバー１０ａおよびボトムカバーの上面開口を覆った図示しないトップカバーとを有している。ボトムカバー１０ａは、板金によりほぼ矩形状に形成され、周縁部がほぼ直角に折曲げられ、側壁を構成している。ボトムカバー１０ａは、装填される光ディスク１１よりも大きな面積に形成されている。
【００１４】
ボトムカバー１０ａのほぼ中心部には、光ディスク１１を支持および回転するディスクモータ１２が設けられ、また、ディスクモータの周囲には、メカシャーシ１４が設けられている。このメカシャーシ１４には、光ディスク１１に対してレーザ光を照射し、情報を記録、再生する光ピックアップ（光ヘッド）１６、および光ピックアップを光ディスクの径方向に沿って移動させる図示しないヘッド駆動機構が設けられている。
【００１５】
また、ボトムカバー１０ａ上には、ディスクモータ１２をその回転軸の方向に沿って昇降させるモータ昇降機構１８、クランプ解除スライダ２０、解除部材昇降機構としてのスライダ昇降機構２２、モータ昇降機構およびスライダ昇降機構を駆動するカム駆動機構２４が設けられている。更に、ボトムカバー１０ａ上には、光ディスク１１を装置内にローディングするとともに、装置から外方にイジェクトする図示しないローディング機構が設けられている。
【００１６】
図２は、ディスクモータ、モータ支持機構、モータ昇降機構、クランプ解除スライダを一部分解して示し、図３は、ディスクモータの一部を取外して、モータ昇降機構のカム部材およびクランプ解除スライダを示している。図４は、ディスクモータをその底面側から示し、図５は、カム部材を示している。図６は、ディスクモータ、クランプリング、その他、周辺部材との関係を概略的に示している。
【００１７】
図１ないし図４に示すように、ディスクモータ１２は、円盤状の底板２６と、底板上に設けられた円筒状のモータケース２８と、モータの回転軸に取り付けられたターンテーブル３０と、を有している。ターンテーブル３０の中央部には、光ディスク１１の内孔に係合する円形のハブ３１が突設され、更に、ハブの外周３箇所には、ボールチャッキング爪３２が形成されている。これらのボールチャッキング爪３２は、ハブ３１を光ディスク１１の内孔に挿入した状態で、光ディスクの内周縁部をチャックし、光ディスクをターンテーブル３０上にクランプする。ハブ３１およびボールチャッキング爪３２はクランプ部を構成している。
【００１８】
底板２６の外周縁部の３箇所には、カム当接突起３４ａ、３４ｂ、３４ｃが固定されている。これらのカム当接突起３４ａ、３４ｂ、３４ｃは、円周方向に沿って、例えば、９０度以上の離間を置いて設けられ、また、それぞれディスクモータ１２の中心軸と平行な方向に沿って延びているとともにモータケース２８の僅かに外側に配置されている。各カム当接突起３４ａ、３４ｂ、３４ｃの下端部は後述するカムに当接する係合部を形成し、上端部は、ばねを掛けるばね掛け部を形成している。
【００１９】
一方、図１ないし図３、および図５、図６に示すように、ボトムカバー１０ａの中央部には、３つの板状の昇降ガイド３６が立設され、各昇降ガイドには、ボトムカバーに対して垂直に延びるガイドスリット３６ａが形成されている。ボトムカバー１０ａにおいて各昇降ガイド３６の両側には、ばね掛け孔３７が形成されている。
【００２０】
ボトムカバー１０ａ上において、３つの昇降ガイド３６の外側には、円弧状のリングガイドリブ４０が突設され、ディスクモータ１２の中心軸とほぼ同軸的に延びている。カム部材として機能する円弧状のクランプリング４２がボトムカバー１０ａ上に載置され、リングガイドリブ４０によりディスクモータ１２の中心軸の周りで回動自在にガイドされている。これにより、クランプリング４２は、ディスクモータ１２の外側に、僅かに隙間を置いて配置されている。
【００２１】
図２、図３、図５、図６に示すように、クランプリング４２には、３つの昇降カム４３ａ、４３ｂ、４３ｃが形成されている。これらの昇降カム４３ａ、４３ｂ、４３ｃは、クランプリング４２の円周方向に沿って互いに離間して位置し、モータの底板２６に設けられたカム当接突起３４ａ、３４ｂ、３４ｃに対応する位置関係に設けられている。クランプリング４２には、昇降カム４３ａの外側に位置した解除カム４４が形成されている。この解除カム４４は、昇降カム４３ａに対して、クランプリング４２の円周方向に沿って所定の位相だけずれて設けられている。更に、図７に示すように、クランプリング４２は、その外周面から径方向外方に突出して係合爪４５を有している。このようなクランプリング４２は、例えば、合成樹脂により一体成形されている。
【００２２】
図１ないし図３、および図６に示すように、ディスクモータ１２は、カム当接突起３４ａ、３４ｂ、３４ｃがそれぞれ対応する昇降ガイド３６のガイドスリット３６ａ内に昇降可能に係合し、ガイドされている。これにより、ディスクモータ１２は、昇降ガイド３６によりボトムカバー１０ａの平面方向の位置が規制されているとともに、モータの回転軸と平行な方向に沿って昇降可能に支持されている。
【００２３】
ディスクモータ１２のカム当接突起３４ａ、３４ｂ、３４ｃに形成されたばね掛け部には、付勢部材、例えば、コイルばね３８の中央部が掛けられ、更に、このコイルばねの両端がばね掛け孔３７に係止されている。これら３つのコイルばね３８により、カム当接突起３４ａ、３４ｂ、３４ｃおよびディスクモータ１２は、ボトムカバー１０ａ側に付勢されて、カム当接突起３４ａ、３４ｂ、３４ｃはクランプリング４２の昇降カム４３ａ、４３ｂ、４３ｃ上にそれぞれ弾性的に押し付けられている。これにより、ディスクモータ１２の高さ方向、すなわち、中心軸方向の位置が決められている。
【００２４】
このように、昇降ガイド３６、クランプリング４２、コイルばね３８、およびカム当接突起３４ａ、３４ｂ、３４ｃにより、ディスクモータ１２を昇降自在に支持する支持機構１９が構成されている。
【００２５】
図１および図７に示すように、ボトムカバー１０ａ上において、メカシャーシ１４の外側には、クランプリング４２をディスクモータ１２の回転軸の周りで回動させるカム駆動機構２４が設けられている。カム駆動機構２４は、ディスクモータ１２の回転軸と交差する方向に沿って往復移動可能に設けられたカムスライダ４６と、ギア列４８を介してカムスライダを移動させるローディングモータ４９と、ディスクモータの回転軸と平行な軸の周りで回動可能にボトムカバー１０ａ上に設けられたクランプレバー５０とを有している。クランプレバー５０は、カムスライダ４６のカム溝４６ａに係合した第１係合部５０ａと、クランプリング４２の係合爪４５と係合した第２係合部５０ｂとを有ししている。
【００２６】
ローディングモータ４９が駆動されると、その駆動力がギア列４８を介してカムスライダ４６に伝達され、カムスライダが直線的にスライドされる。これに伴い、カムスライダ４６によりクランプレバー５０が回動され、このクランプレバーによりクランプリング４２が回動される。そして、クランプリング４２が回動し昇降カム４３ａ、４３ｂ、４３ｃが移動することにより、ディスクモータ１２のカム当接突起３４ａ、３４ｂ、３４ｃが昇降カムに沿って昇降され、その結果、ディスクモータ１２が昇降される。
【００２７】
このように、クランプリング４２、カム当接突起３４ａ、３４ｂ、３４ｃ、カム駆動機構２４により、ディスクモータ１２を昇降させるモータ昇降機構１８が構成されている。
【００２８】
図６に示すように、ボトムカバー１０ａの開口部を覆ってトップカバー１０ｂが設けられ、このトップカバーは、ディスクモータ１２のターンテーブル３０と隙間を置いて対向している。トップカバー１０ｂには、ディスクモータ１２の上昇時、ハブ３１を逃がす円形の逃げ孔５２が形成され、また、逃げ孔５２の外周部には、光ディスク１１の内周部分に当接し、ハブ３１のボールチャッキング爪３２に光ディスクをクランプさせる係止リブ５４が形成されている。
【００２９】
次に、光ディスク１１のクランプを解除するクランプ解除機構について説明する。図２、図３、図６に示すように、クランプ解除機構は、クランプ解除部材として機能するクランプ解除スライダ２０を備え、このクランプ解除スライダは、メカシャーシ１４のディスクモータ開口部に形成されたガイド溝５３に係合し、ディスクモータ１２の回転軸と平行な方向に沿って昇降可能に支持されている。
【００３０】
クランプ解除スライダ２０の上端部は、光ディスク１１の内周部に当接可能な当接突起２０ａを形成し、中間部は、クランプリング４２の解除カム４４に係合したカム当接部２０ｂを形成している。クランプ解除スライダ２０は、このクランプ解除スライダとメカシャーシ１４との間に架設された樹脂ばね２１により、ボトムカバー１０ａ側に付勢され、カム当接部２０ｂは解除カム４４に弾性的に押し当てられている。樹脂ばね２１は、例えば、合成樹脂によりクランプ解除スライダ２０と一体に成形されている。
【００３１】
カム駆動機構２４によりクランプリング４２が回動されると、クランプ解除スライダ２０は、解除カム４４によりディスクモータ１２の昇降に同期して昇降され、当接突起２０ａが光ディスク１１の内周部に当接して光ディスクの移動を規制するクランプ解除位置と、当接突起２０ａが光ディスクから離間する退避位置との間を移動される。
【００３２】
このように、解除カム４４を有するクランプリング４２、カム駆動機構２４により、ディスクモータ１２の昇降に同期してクランプ解除スライダ２０を昇降させるスライダ昇降機構２２が構成されている。すなわち、カムスライダ４６のスライド動作によりクランプリング４２が回動してディスクモータ１２およびクランプ解除スライダ２０を昇降駆動し、光ディスク１１をクランプおよびクランプ解除するように構成されている。
【００３３】
次に、以上のように構成された光ディスク装置のディスククランプ解除動作について説明する。ここでは、ディスク駆動中からクランプ解除（ディスク排出待機状態）までの動作を５段階にて説明する。
【００３４】
図８は、光ディスク１１がディスクモータ１２のターンテーブル３０上に載置され、ハブ３１とクランプした状態、つまり、光ディスク１１をディスクモータ１２により回転させた動作状態を示している。ディスクモータ１２は、ディスク駆動位置に保持され、クランプ解除スライダ２０は、下降して退避位置に保持されている。光ディスク１１は、トップカバー１０ｂ、クランプ解除スライダ２０のディスク当接突起２０ａから適当なクリアランスＣ１を持った高さに保持されて駆動されている。図示しないイジェクトスイッチ等が押下されると、クランプ解除動作が開始される。
【００３５】
図９は、クランプ解除開始時の状態を示している。クランプ解除動作が開示されると、カム駆動機構２４により、クランプリング４２が反時計方向に回動され、クランプリングに形成された昇降カム４３ａ、４３ｂ、４３ｃおよび解除カム４４によりディスクモータ１２およびクランプ解除スライダ２０が上昇される。昇降カム４３ａ、４３ｂ、４３ｃおよび解除カム４４の位相設定により、クランプ解除スライダ２０はディスク当接突起２０ａが光ディスク１１に接触するクランプ解除位置に達する。ディスクモータ１２は光ディスク１１の内周部がトップカバー１０の係止リブ５４に当接する上昇位置に上昇する。
【００３６】
この状態で、クランプリング４２が更に反時計方向に回動されると、図１０に示すように、クランプ解除スライダ２０は解除カム４４によってクランプ解除位置に保持されたまま、ディスクモータ１２が下降される。この間、光ディスク１１もディスクモータ１２とともに下降しようとするが、クランプ解除スライダ２０のディスク当接突起２０ａに当たり移動が規制される。これにより、ディスクモータ１２のハブ３１と光ディスク１１とのクランプが解除され、ディスクモータ１２のみが下降し、光ディスク１１はディスク当接突起２０ａに保持される。
【００３７】
この際、クランプ解除スライダ２０は、クランプ解除位置に上昇して保持されているため、クランプ解除スライダ２０が光ディスクに当接した位置からディスクモータ１２が下降移動する距離、すなわち、ラップ量Ｃ２を充分に確保することができる。これにより、光ディスク１１のクランプが確実に解除される。
【００３８】
続いて、図１１に示すように、クランプリング４２が更に反時計方向に回動されると、ディスクモータ１２、クランプ解除スライダ２０、およびクランプ解除された光ディスク１１が下降して行き、図１２に示すように、ディスクモータ１２は駆動位置を越えて下方の下降位置まで移動し、クランプ解除スライダは光ディスクから十分に離間する退避位置に至る。
【００３９】
この間、光ディスク１１は、図示しないローディング機構のイジェクトアーム等により途中で搬送待機位置に保持される。これにより、ディスクモータ１２のハブ３１およびクランプ解除スライダ２０のディスク当接突起２０ａは、光ディスク１１に対して適正なクリアランスを持つ位置まで退避し、光ディスクの搬送待機状態となる。  
なお、光ディスク１１をディスクモータ１２のハブ３１にクランプする場合は、上述した一連の動作と可逆の動作が行われる。
【００４０】
以上のように構成された光ディスク駆動装置によれば、クランプ解除用のクランプ解除スライダをディスクモータの昇降タイミングに同期させて自在に制御することにより、ディスクのクランプ解除を最適のタイミングで行うことができるとともに、十分なラップ量を設定し、確実にクランプを解除することができる。また、ディスク駆動時およびディスク搬送動作時には、光ディスクとクランプ解除スライダとの間に十分なクリアランスを待たせることができ、光ディスク装置の設計自由度および動作余裕度が向上する。
【００４１】
更に、クランプされた光ディスクとクランプ解除スライダとの相対接近速度を大きく設定することができ、クランプ負荷が減少し、スライダ昇降機構を構成するローディングモータの消費電力を低減することが可能となる。クランプ解除をディスク下側に設けられた構造物からより離れた位置で行うことができ、ディスクの記録面を保護し、信頼性の向上を図ることができる。
【００４２】
また、ディスクモータを昇降させるモータ昇降機構およびクランプ解除スライダを昇降させるスライダ昇降機構は、共通のクランプリングおよびカム駆動機構により構成されているため、ディスクモータおよびクランプ解除スライダを正確なタイミングで同期して昇降動作させることができ、クランプ解除動作の信頼性を向上することが可能となる。
【００４３】
以上のことから、ラップ量を大きく設定でき、ディスクを確実にクランプ解除できるとともに、ディスクと他の機構部とのクリアランスを確保し、設計自由度、動作余裕度の向上した光ディスク装置が得られる。
【００４４】
この発明は上記実施形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、クランプ解除部材の形状は、上述したスライダに限定されることなく、種々変形可能である。
【図面の簡単な説明】
【００４５】
【図１】図１は、この発明の実施形態に係る光ディスク装置をそのトップカバーを取外して内部構造示す斜視図。
【図２】図２は、上記光ディスク装置のディスクモータ、モータ支持機構、モータ昇降機構、クランプ解除スライダを一部分解して示す斜視図。
【図３】図３は、前記ディスクモータの一部を取外して、モータ昇降機構のカム部材およびクランプ解除スライダを示す斜視図。
【図４】図４は、前記ディスクモータをその底面側から見た斜視図。
【図５】図５は、カム部材を示す斜視図。
【図６】図６は、ディスクモータ、クランプリング、その他、周辺部材との関係を概略的に示す断面図。
【図７】図７は、ディスクモータ、クランプリングおよびカム駆動機構を示す斜視図。
【図８】図８は、前記光ディスク装置のディスク駆動状態を示す光ディスク装置の断面図。
【図９】図９は、前記光ディスク装置のクランプ解除動作開始時の状態を示す光ディスク装置の断面図。
【図１０】図１０は、前記光ディスク装置のクランプ解除時の状態を示す光ディスク装置の断面図。
【図１１】図１１は、前記光ディスク装置のディスク離脱時の状態を示す光ディスク装置の断面図。
【図１２】図１２は、前記光ディスク装置のクランプ解除動作完了時およびディスク搬送待機時の状態を示す光ディスク装置の断面図。
【符号の説明】
【００４６】
１０ａ…ボトムカバー、１０ｂ…トップカバー、１１…光ディスク、
１２…ディスクモータ、１４…メカシャーシ、１８…モータ昇降機構、
１９…モータ支持機構、２０…クランプ解除スライダ、２４…カム駆動機構、
３０…ターンテーブル、３１…ハブ、３２…ボールチャッキング爪、
３４ａ、３４ｂ、３４ｃ…カム当接突起、３６…昇降ガイド、４２…クランプリング、
４３ａ、４３ｂ、４３ｃ…昇降カム、４４…解除カム、４６…カムスライダ、
４９…ローディングモータ、５０…クランプレバー
【図１】
2009245531.tif 000003
【図２】
2009245531.tif 000004
【図３】
2009245531.tif 000005
【図４】
2009245531.tif 000006
【図５】
2009245531.tif 000007
【図６】
2009245531.tif 000008
【図７】
2009245531.tif 000009
【図８】
2009245531.tif 000010
【図９】
2009245531.tif 000011
【図１０】
2009245531.tif 000012
【図１１】
2009245531.tif 000013
【図１２】
2009245531.tif 000014